【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
コンテンツを記録する記録装置と、前記コンテンツに付加情報を付加するためのユーザ操作を受け付ける操作装置とを有するコンテンツ管理装置であって、
直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応したユーザ操作に応じて実行する処理手段と、
前記記録装置がコンテンツを記録中である場合は、前記操作装置において、前記第１と第２の処理の実行指示のためのユーザ操作を不能にするとともに、前記第３の処理の実行指示のためのユーザ操作を可能にし、前記記録装置がコンテンツを記録中ではない場合は、前記操作装置において前記第１と第２の少なくとも一方の処理の実行指示のためのユーザ操作を可能にするとともに前記第３の処理の実行指示のためのユーザ操作を不能にする制御手段と、を備えることを特徴とするコンテンツ管理装置。
【請求項２】
前記記録装置がコンテンツを記録中であるか否かを判定する判定手段をさらに備えることを特徴とする請求項１に記載のコンテンツ管理装置。
【請求項３】
前記操作装置は、前記第１から第３の処理のそれぞれの実行を指示するユーザ操作を受け付けるための表示アイテムを表示する機能を有し、
前記制御手段は、前記第１から第３の処理のそれぞれ対応する表示アイテムを表示させないかまたは無効状態の表示とすることにより、実行指示のためのユーザ操作を不能にする、ことを特徴とする請求項１または２に記載のコンテンツ管理装置。
【請求項４】
前記記録装置と前記操作装置は別体で構成され、無線または有線による通信手段により接続され、
前記操作装置は、ユーザ操作に応じて前記第１から第３の処理の実行指示を付加情報とともに前記記録装置に前記通信手段を介して送信することを特徴とする請求項１乃至３のいずれか１項に記載のコンテンツ管理装置。
【請求項５】
前記記録装置が記録中になったことに応じて前記第１の処理の実行指示のためのユーザ操作が不能になるまでの間に前記第１の処理の実行指示が前記操作装置から送信され、前記記録装置がコンテンツの記録中に前記第１の処理の実行指示を受信した場合、
前記処理手段は、記録中のコンテンツの直前に記録されたコンテンツの付加情報を該実行指示とともに受信した付加情報で更新することを特徴とする請求項４に記載のコンテンツ管理装置。
【請求項６】
前記記録装置が記録中になったことに応じて前記第２の処理の実行指示のためのユーザ操作が不能になるまでの間に前記第２の処理の実行指示が前記操作装置から送信され、前記記録装置がコンテンツの記録中に前記第２の処理の実行指示を受信した場合、
前記処理手段は、前記第３の処理の実行により付加情報が更新されるまでは、該実行指示とともに受信した付加情報を記録中のコンテンツに関連付けるべき付加情報として保持することを特徴とする請求項４または５に記載のコンテンツ管理装置。
【請求項７】
前記記録装置が記録待機中になったことに応じて前記第３の処理の実行指示のためのユーザ操作が不能になるまでの間に前記第３の処理の実行指示が前記操作装置から送信され、前記記録装置が記録待機中に前記第３の処理の実行指示を受信した場合、
前記処理手段は、該実行指示とともに受信した付加情報を直前に記録を終えたコンテンツに関連付けることを特徴とする請求項４乃至６のいずれか１項に記載のコンテンツ管理装置。
【請求項８】
前記記録装置が記録中になったことに応じて前記第１または第２の処理の実行指示のためのユーザ操作が不能になるまでの間に前記第１または第２の処理の実行指示が前記操作装置から送信され、前記記録装置がコンテンツの記録中に前記第１または第２の処理の実行指示を受信した場合、または、
前記記録装置が記録待機中になったことに応じて前記第３の処理の実行指示のためのユーザ操作が不能になるまでの間に前記第３の処理の実行指示が前記操作装置から送信され、前記記録装置が記録待機中に前記第３の処理の実行指示を受信した場合、
前記処理手段は、受信した実行指示を無視する、ことを特徴とする請求項４に記載のコンテンツ管理装置。
【請求項９】
コンテンツを記録する記録装置と、前記コンテンツに付加情報を付加するためのユーザ操作を受け付ける操作装置とを有するコンテンツ管理装置であって、
直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応したユーザ操作に応じて実行する処理手段と、
前記記録装置がコンテンツを記録中であるか否かに応じて、少なくとも前記直前に記録されたコンテンツ、前記これから記録されるコンテンツ、及び前記現在記録しているコンテンツを含む複数のコンテンツのうち、前記操作装置に対するユーザ操作によって付加情報を関連付けることが可能なコンテンツが変更されるように制御する制御手段と、を備えることを特徴とするコンテンツ管理装置。
【請求項１０】
操作装置と通信が可能な記録装置であって、
直前に記録されたコンテンツに関連付けて付加情報を記録する第１の処理と、これから記録されるコンテンツに関連付けて付加情報を記録する第２の処理の少なくとも一方の処理と、現在記録しているコンテンツに付加情報を関連付けて記録する第３の処理を、前記操作装置からの、それぞれの処理に対応した実行指示に応じて実行する処理手段と、
コンテンツを記録媒体に記録する記録手段と、
前記記録手段がコンテンツを記録媒体に記録中であるか否かを前記操作装置に通知する通知手段と、を備えることを特徴とする記録装置。
【請求項１１】
コンテンツを記録する記録手段を備えた記録装置と通信が可能な操作装置であって、
前記記録装置で直前に記録されたコンテンツに付加情報を関連付けて記録する第１の処理と、前記記録装置でこれから記録されるコンテンツに関連付けて付加情報を記録する第２の処理の少なくとも一方の処理の実行指示、前記記録装置で現在記録しているコンテンツに関連付けて付加情報を記録する第３の処理の実行指示、をそれぞれに対応したユーザ操作に応じて指示する指示手段と、
前記記録装置がコンテンツを記録中である場合は、前記第１と第２の処理の実行指示のためのユーザ操作を不能にするとともに、前記第３の処理の実行指示のためのユーザ操作を可能にし、前記記録装置がコンテンツを記録中ではない場合は、前記第１と第２の処理の実行指示のためのユーザ操作を可能にするとともに前記第３の処理の実行指示のためのユーザ操作を不能にする制御手段と、を備えることを特徴とする操作装置。
【請求項１２】
コンテンツを記録する記録装置と、前記コンテンツに付加情報を付加するためのユーザ操作を受け付ける操作装置とを有するコンテンツ管理装置の制御方法であって、
処理手段が、直前に記録されたコンテンツに付加情報を関連付けて記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応したユーザ操作に応じて実行する処理工程と、
制御手段が、前記記録装置がコンテンツを記録中である場合は、前記操作装置において、前記第１と第２の処理の実行指示のためのユーザ操作を不能にするとともに、前記第３の処理の実行指示のためのユーザ操作を可能にし、前記記録装置がコンテンツを記録中ではない場合は、前記操作装置において前記第１と第２の少なくとも一方の処理の実行指示のためのユーザ操作を可能にするとともに前記第３の処理の実行指示のためのユーザ操作を不能にする制御工程と、を有することを特徴とするコンテンツ管理装置の制御方法。
【請求項１３】
コンテンツを記録する記録装置と、前記コンテンツに付加情報を付加するためのユーザ操作を受け付ける操作装置とを有するコンテンツ管理装置の制御方法であって、
処理手段が、直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応したユーザ操作に応じて実行する処理工程と、
制御手段が、前記記録装置がコンテンツを記録中であるか否かに応じて、少なくとも前記直前に記録されたコンテンツ、前記これから記録されるコンテンツ、及び前記現在記録しているコンテンツを含む複数のコンテンツのうち、前記操作装置に対するユーザ操作によって付加情報を関連付けることが可能なコンテンツが変更されるように制御する制御工程と、を有することを特徴とするコンテンツ管理装置の制御方法。
【請求項１４】
操作装置と通信が可能な記録装置の制御方法であって、
処理手段が、直前に記録されたコンテンツに関連付けて付加情報を記録する第１の処理と、これから記録されるコンテンツに関連付けて付加情報を記録する第２の処理の少なくとも一方の処理と、現在記録しているコンテンツに付加情報を関連付けて記録する第３の処理を、前記操作装置からの、それぞれの処理に対応した実行指示に応じて実行する処理工程と、
記録手段が、コンテンツを記録媒体に記録する工程と、
通知手段が、前記記録手段がコンテンツを記録媒体に記録中であるか否かを前記操作装置に通知する通知工程と、を有することを特徴とする記録装置の制御方法。
【請求項１５】
コンテンツを記録する記録手段を備えた記録装置と通信が可能な操作装置の制御方法であって、
指示手段が、前記記録装置で直前に記録されたコンテンツに付加情報を関連付けて記録する第１の処理と、前記記録装置でこれから記録されるコンテンツに関連付けて付加情報を記録する第２の処理の少なくとも一方の処理の実行指示、前記記録装置で現在記録しているコンテンツに関連付けて付加情報を記録する第３の処理の実行指示、をそれぞれに対応したユーザ操作に応じて指示する指示工程と、
制御手段が、前記記録装置がコンテンツを記録中である場合は、前記第１と第２の処理の実行指示のためのユーザ操作を不能にするとともに、前記第３の処理の実行指示のためのユーザ操作を可能にし、前記記録装置がコンテンツを記録中ではない場合は、前記第１と第２の処理の実行指示のためのユーザ操作を可能にするとともに前記第３の処理の実行指示のためのユーザ操作を不能にする制御工程と、を有することを特徴とする操作装置の制御方法。
【請求項１６】
コンピュータを、請求項１乃至９のいずれか１項に記載のコンテンツ管理装置の各手段として機能させるためのプログラム。
【請求項１７】
コンピュータを、請求項１乃至９のいずれか１項に記載のコンテンツ管理装置の各手段として機能させるためのプログラムを格納した、コンピュータが読み取り可能な記憶媒体。
【手続補正２】
【補正対象書類名】明細書
【補正対象項目名】０００８
【補正方法】変更
【補正の内容】
【０００８】
上記目的を達成するための本発明の位置態様によるコンテンツ管理装置は、たとえば以下の構成を備える。すなわち、
コンテンツを記録する記録装置と、前記コンテンツに付加情報を付加するためのユーザ操作を受け付ける操作装置とを有するコンテンツ管理装置であって、
直前に記録されたコンテンツに関連付けて付加情報を記録する第１の処理と、これから記録されるコンテンツに関連付けて付加情報を記録する第２の処理の少なくとも一方の処理、及び、現在記録しているコンテンツに関連付けて付加情報を記録する第３の処理を、それぞれの処理に対応したユーザ操作に応じて実行する処理手段と、
前記記録装置がコンテンツを記録中である場合は、前記操作装置において、前記第１と第２の処理の実行指示のためのユーザ操作を不能にするとともに、前記第３の処理の実行指示のためのユーザ操作を可能にし、前記記録装置がコンテンツを記録中ではない場合は、前記操作装置において前記第１と第２の少なくとも一方の処理の実行指示のためのユーザ操作を可能にするとともに前記第３の処理の実行指示のためのユーザ操作を不能にする制御手段と、を備える。